(57)【特許請求の範囲】
【請求項１】
アクセス制御システムを用いてアクセス許可を確認する方法において、
前記アクセス制御システムは、
ゲート装置が設けられていない入口へ向かって連続して配置された登録区域及び識別区域の内、上流側の前記登録区域内に存在する各人が携帯する携帯型電子機器またはデータ記憶装置と、少なくとも一つの無線通信規格に従って通信可能な送信／読取装置と、
前記識別区域に存在する人を検知して追跡することの可能なカメラと、
前記送信／読取装置及びカメラと通信可能なサーバと、を備え、
前記登録区域は、少なくともその一部が前記識別区域と重ならず、かつ、その区域内に前記入口を含まない区域であり、
前記登録区域に人が存在する場合、前記送信／読取装置は、前記無線通信規格によって、登録区域内に存在する各人が携帯する携帯型電子機器またはデータ記憶装置からＩＤ及び前記ＩＤと対応付けられた光学基準データを取得して前記サーバに送信し、
前記光学基準データは、人の生体識別特徴または人に一意的に割り当て可能な特徴であり、
前記サーバは、取得した前記ＩＤと対応付けられた光学基準データによって構成された光学基準リストを作成し、
前記登録区域から前記識別区域へと人が進むと、前記カメラは、前記識別区域に入った人を検知し、前記カメラによって検知された光学基準データと前記検知された人の現在位置とのデータセットを前記サーバに送信し、
前記サーバは、前記カメラから送信されて来た前記光学基準データと前記検知された人の現在位置とのデータセットに基づいてリアルタイムマップを作成すると共に、前記リアルタイムマップの光学基準データと前記光学基準リストとを照合し、
前記サーバは、前記リアルタイムマップ上において、前記光学基準リストに適合した光学基準データを有する人物について、アクセス許可を有しているものと推測し、前記光学基準リストに適合した光学基準データを有しない人について、アクセス許可を有していないと推測し、
前記カメラによって、アクセス許可を有していないと推測される人物を追跡する、
ことを特徴とするアクセス制御システムを用いてアクセス許可を確認する方法。

【請求項２】
前記登録区域で記録されて有効なアクセス許可にリンクされた一意のＩＤを割り当てられた人が、前記リアルタイムマップ上の仮想線を越えた場合、対応する入場が前記アクセス制御システムのサーバに作成されることを特徴とする、アクセス制御システムを用いてアクセス許可を確認する請求項１に記載の方法。
【請求項３】
前記登録区域で記録されて有効なアクセス許可にリンクされた一意のＩＤを割り当てられていない人、または前記登録区域で記録されたＩＤが有効なアクセス許可にリンクされていない人が、前記リアルタイムマップ上の仮想線を越えた場合、前記アクセス制御システムにおいて不正アクセスが検知される、
ことを特徴とする、アクセス制御システムを用いてアクセス許可を確認する請求項２に記載の方法。
【請求項４】
不正アクセスが検知された場合、光およびまたは音響信号が発生される、
ことを特徴とする、アクセス制御システムを用いてアクセス許可を確認する請求項３に記載の方法。
【発明の詳細な説明】
【技術分野】
【０００１】
本発明は、請求項１の前文に記載のとおり、アクセス制御システムを用いてアクセス許可を確認する方法に関する。
【背景技術】
【０００２】
従来より既知の技術として複数の人に対するアクセス制御装置があり、このようなアクセス制御装置は概して、機械式またはその他の方式のゲートと共に、アクセス許可を非接触式により記録し評価するための手段を有する。このようなゲートは、有効なアクセス許可が提示されて初めて開放方向に自動的にまたは手動で駆動される。
【発明の概要】
【発明が解決しようとする課題】
【０００３】
ゲートおよびそれによって生じるアクセスに対する妨害により、アクセスは非常に不便となる。さらに、アクセス制御装置を有するゲートの使用は、製造およびメンテナンス費用を上昇させてしまう。
【０００４】
さらに、ゲートを有するアクセス制御装置を使用してアクセス制御を行うことは非効率的である。なぜならば、該して大多数のユーザは有効なアクセス許可を有しているからである。従来技術によると、該して、無効なアクセス許可を有するかまたはアクセス許可を有しない、非常に僅かな人を特定するために、全てのユーザを確認しなければならない。
【０００５】
本発明の目的は、アクセス制御システムを用いてアクセス許可を確認する方法を提供することにあり、当該方法を採用することにより、アクセス許可の確認の質を損なうことなく、ゲートを取り除き利便性を高めることができる。
【課題を解決するための手段】
【０００６】
この目的は、請求項１に記載の発明の特徴によって達成される。ここではアクセス制御システムを用いてアクセス許可を確認する方法が提案され、この方法によると、当該アクセス制御システムによってカバーされたエリアの各入口区域は、入口に向かう方向に対して連続的に二つの区域に分けられており、当該アクセス制御システムによってカバーされた区域に入りたい人は、まず第一区域を通過し、その後第二区域を通過しなければならない。当該アクセス制御システムによってカバーされるエリアは少なくとも一つの入口区域を有する。
【０００７】
ここで第一区域は登録区域であって、少なくとも一つの無線通信規格に従って送信／読取装置によってカバーされ、第二区域は識別区域であって、当該区域に存在する人を検知して追跡することのできるカメラによってカバーされ、人を検知する際に、生体識別特徴およびまたは記録された人に一意的に割り当て可能な特徴である光学基準データが記録され、当該光学基準データと各人について検知された人の現在位置とを含むデータセットがリアルタイムでサーバに送信され、これらのデータセットに基づいて前記光学基準データを含むリアルタイムマップが形成される。
本発明のさらなる設計によると、登録区域と識別区域とは部分的に重なってもよい。
【０００８】
登録区域をカバーする読取／書込装置によって、スマートフォン、タブレットおよびスマートウォッチなどの携帯型電子機器や、ＲＦＩＤカードなどのデータ記憶装置が、アクセス許可や光学基準データが一意に割り当てられた送信／読取ＩＤを記録する。
【０００９】
本発明の初期設計によると、例えば人の顔の生体認証を表すベクトル等の光学基準データと、それぞれのＩＤとは、携帯型電子機器またはデータ記憶装置から読取／書込装置に送信され、読取／書込装置が受け取ったデータはサーバに送られる。
【００１０】
あるいは、各ＩＤに割り当てられた光学基準データは、読取／書込装置から記録されたＩＤを送信する先である、サーバに保存されてもよい。
【００１１】
人の登録に関して、光学基準データはＩＤにリンクされてサーバに送信されてもよく、または携帯型電子機器またはデータ記憶装置に保存されてもよい。
【００１２】
本発明によると、読取／書込装置によって記録されたＩＤと、ＩＤに割り当てられた光学基準データとは、それぞれ一つのＩＤとそのＩＤに割り当てられた光学基準データとを含むデータセットに分類されて、サーバ内の光学基準リストに一時的に保存される。
【００１３】
本発明によると、光学基準リストのデータセットとリアルタイムマップのデータセットとは、サーバにおいてリアルタイムで比較されるものとされる。この方法で、光学基準リストに保存されたデータセットの光学基準データがリアルタイムマップのデータセットの光学基準データに対応するか否かの確認が行われる。対応する場合、光学基準リストのデータセットに含まれ登録区域において記録された一意のＩＤがリアルタイムマップのデータセットに基づいて人に割り当てられ、その後、当該ＩＤに割り当てられたアクセス許可の有効性がサーバにおいて確認される。
【００１４】
リアルタイムマップの光学基準データが光学基準リスト内の複数のデータセットの光学基準データのいずれとも対応しない場合、その人はリアルタイムマップのデータセットに対応するアクセス許可を有していないことが推測される。
【００１５】
本発明の一つの応用によると、アクセス許可を持たない人に関して、少なくとも一つのカメラを使用して当該人物の追跡を実行することができ、この追跡情報に基づいて、手動によるアクセス確認を行うことが望ましい。さらに、スタッフが当該人物を探すのを容易にするために、レーザまたは光ビームにより当該人物にタグ付けすることができる。
【００１６】
本発明のさらなる設計によると、アクセス許可を持たない人がいた場合、人のリダイレクションを行う手段をアクティブ化することにより、例えば回転式改札口をアクティブ化することにより、当該人物を含む複数人のグループのリダイレクションを実行することができ、当該複数人のグループは、機械式ゲートを有するアクセス確認装置を含む、アクセス許可を確認する手段を通るようリダイレクトされ、アクセス許可は非接触式に読み取ることができる。複数人のリダイレクションを行う手段は、自動的にアクティブ化され、またはスイッチを使って手動的に駆動され、または機械的な装置であってよい。
【図面の簡単な説明】
【００１７】
【図１】本発明の実施の形態を説明する図。
【発明を実施するための形態】
【００１８】
本発明を、一例を図示した添付の図面を参照しつつ下記により詳細に説明する。
【００１９】
添付図面において、識別区域は符号１により示され、登録区域は符号２により示される。本発明によると、登録区域２は少なくとも一つの無線通信規格に基づく送信／読取装置３によってカバーされ、識別区域１は、その区域にいる人々を検知して追跡することのできるカメラによってカバーされる。カメラは、例えば３Ｄカメラであってよい。
【００２０】
識別区域１をカバーするカメラを使って、当該区域に存在する人々の光学基準データが記録され、ここで光学基準データとは検知された人々の生体識別特徴およびまたは人々に一意的に割り当て可能な特徴であり、検知された各人の光学基準データと現在位置を含むデータセットがリアルタイムでサーバに送信され、これらのデータセットに基づき、光学基準データを含むリアルタイムマップが作成される。
【００２１】
本発明によると、顔認識はカメラを使って行うことができる。記録された顔を表す数ベクトルを生成するために、好ましくはニューラルネットワークを使用する。一つの応用によると、カメラが十分に高い解像度を有する場合、人々の網膜をスキャンすることができ、その結果を生体識別特徴として使用することができる。さらに、人の連続画像を生成して分析することができ、その人の動画シーケンスに基づき、対応する特性を計算することができる。
【００２２】
カメラとして３Ｄカメラが使用された場合、ある人の一部、例えば顔、の３Ｄ表面を記録することにより、その人に一意的に割り当て可能な特徴を計算することができる。
【００２３】
一つの応用によると、カメラはさらに熱画像等の不可視スペクトルの画像を生成するのに使用することができ、それに基づいて検知された人それぞれに一意的に割り当て可能な特徴を計算することができる。さらに、上述した方法を複数組み合わせることによって光学基準データを得ることもできる。
【００２４】
送信または読み取られたアクセス許可および光学基準データが一意に割り当てられたＩＤが、登録区域２をカバーする読取／書込装置３によって、少なくとも一つの無線通信規格を使用して、例えば区域内に存在する各人がそれぞれ携帯するスマートフォン、タブレットまたはスマートウォッチ等の携帯型電子機器またはデータ記憶装置のＷＬＡＮ、ＢＬＥまたはＵＷＢ規格を使用し、記録される。上記無線通信規格の範囲は、読取／書込み装置３によって登録区域をカバーするのに十分である。ブルートゥース低エネルギー規格（ＢＬＥ）を使用することにより、従来のブルートゥース規格より顕著に低い消費電力で１００メートルに届く広範囲を実現することができる。ＷＬＡＮまたはＵＷＢ規格もまた、必要な情報をＢＬＥ規格に匹敵する十分な長距離に送信するのに適している。
【００２５】
本発明の初期設計において、それぞれのＩＤとともに、送信されまたは読み込まれた、例えば人の顔の生体識別情報を表すベクトル等の、光学基準データが、例えば区域内に存在する各人がそれぞれ携帯するスマートフォン、タブレットまたはスマートウォッチ等の携帯型電子機器またはデータ記憶装置の登録区域２をカバーする読取／書込装置３によって記録され、当該読取／書込装置が受け取ったデータはサーバに送信される。
【００２６】
あるいは、読取／書込装置３によって記録された各ＩＤに割り当てられた光学基準データは、読取／書込装置３が記録されたＩＤを送信する先であるサーバに保存されてもよい。
【００２７】
送信または読み取られたＩＤに一意的に割り当てられた光学基準データは、識別区域１において光学基準データを得る方法を使って得られる。つまり、識別区域１内の光学基準データが通常の光学カメラを使用して記録される場合、送信されまたは読み取られたＩＤに一意的に割り当てられる光学基準データを記録するためにも同じく、通常の従来型光学カメラが使用される。このことにより、データ同士を比較することが可能となる。本発明によると、この基準データは販売時点で、例えばキャッシュレジスタや自動販売機で、直接記録することができる。さらに、これらの基準データは最初のアクセス、例えば遊園地やスキーリゾートへの最初のアクセスにおいて、記録することができる。さらに、基準データはユーザ自身が、例えば携帯電話の自撮り機能を使って、記録することができる。イベントに参加する人々が、例えば年齢確認のために、追加的にＩＤカードにより自らの身分を明示しなければならない場合、ＩＤカードをスキャンして基準データを得ることができる。
【００２８】
読取／書込装置３によって記録されたＩＤとＩＤに割り当てられた光学基準データは、ＩＤと当該ＩＤに割り当てられた光学基準データとからなるデータセットにそれぞれ分類され、一時的にサーバの光学基準リストに保存される。
【００２９】
本発明によると、サーバは、光学基準リストのデータセットとリアルタイムマップのデータセットとをリアルタイムで比較し、光学基準リストに保存されたデータセットの光学基準データがリアルタイムマップのデータセットの光学基準データと対応するか否かの確認が行わる。対応する場合、光学基準リストのデータセットに含まれ登録区域２において記録された一意のＩＤが、リアルタイムマップのデータセットに従って人に割り当てられ、その後、当該ＩＤに割り当てられたアクセス許可、つまり当該ＩＤにリンクされたアクセス許可、の有効性が確認される。
【００３０】
リアルタイムマップのデータセットの光学基準データが光学基準データに関して光学基準リストのいずれのデータセットとも対応しない場合、その人はリアルタイムマップのデータセットに対応するアクセス許可を有していないと推測される。
【００３１】
本発明の方法を実行する際に、ある人の光学基準データは限られた人数の光学基準データと比較され、その数は識別区域および登録区域のサイズによるものとする。概して、アクセス許可と光学基準データが一意的に割り当てられた１０から５０人ほどの人数のＩＤが非接触方式で登録区域２内において記録され、未だ識別区域１において一意のＩＤが割り当てられておらず、光学基準リストのデータセットに含まれて登録区域２において記録される。
【００３２】
このように比較対象を少人数に制限することにより、これらの人数の中の二人が非常に類似した光学基準データを有する可能性が限定されるという利点があるため、例えば光学基準リストのデータセットとリアルタイムマップのデータセットとを比較する際、人を識別する基準についてより大きな許容差を設定することができる。これにより、より簡易なアルゴリズムで、スピーディにかつより高い成功率で、識別を行うことができる。
【００３３】
本発明のある設計によると、アクセス制御システムによってカバーされたエリアの少なくとも一つの入口区域はゲート装置を有しない。登録区域２で記録されて有効なアクセス許可にリンクされた一意のＩＤを本発明の方法に基づいて割り当てられた人が、リアルタイムマップに基づいてあらかじめ定義された、アクセス制御システムによってカバーされる区域へのアクセスに対応する仮想線を越えた場合、対応する入場がアクセス制御システムのサーバに作成される。
【００３４】
登録区域２で記録されて有効なアクセス許可にリンクされた一意のＩＤが本発明の方法に従って割り当てられていない人、または登録区域２で記録され割り当てられたＩＤが有効なアクセス許可にリンクされていない人、が前記リアルタイムマップに基づいてあらかじめ定義された仮想線を越えた場合、前記システムにおいて不正アクセスが検知され、それに対応して光およびまたは音響信号を生成し、または手動の確認を実行することができる。このような方法により、ゲートを有しないアクセス制御システムが実施される。
【００３５】
本発明のさらなる設計によると、不正アクセスが検知された場合、人のリダイレクションを行う手段をアクティブ化することにより、有効なアクセス許可を有しない人を含む複数人のグループのリダイレクションを実行し、この複数人のグループは、機械式ゲートを有するアクセス制御装置を含む、アクセス許可を確認する手段を通るようリダイレクトされ、アクセス許可は非接触式に読み取ることができる。人のリダイレクションを行う手段は、自動的にアクティブ化され、またはスイッチを使って手動的に駆動され、または機械的な装置であってよい。
【００３６】
あるいは, アクセス制御システムによってカバーされたエリアの少なくとも一つの入口区域は、それぞれ一つのゲート装置を有する少なくとも一つのアクセス制御装置を有し、登録区域２において記録され有効なアクセス許可にリンクされた一意のＩＤを割り当てられた人が、リアルタイムマップによってあらかじめ定義された距離まで前記アクセス制御装置に近づいたとき、ゲート装置は開放方向に駆動される。
【図１】
0006969730.tif 000002